【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
光源と、
前記光源から出射された光を、測定光学系を介して被検眼に照射する測定光と参照光とに分割するとともに、前記被検眼からの前記測定光の戻り光と前記参照光とを合波して得た干渉光に基づいて、前記被検眼の断層の情報を取得する情報取得部と、
前記測定光の光路と前記参照光の光路との間の光路長差を変更する光路長変更手段と、
を備え、
前記測定光学系は、
前記測定光を前記被検眼に合焦させる合焦レンズと、
前記測定光を前記被検眼上で走査する走査手段と、
前記測定光が照射される前記被検眼の部位を切り替える撮像部位切替手段と、
を含み、
前記被検眼の前眼部を撮像する際に、
前記測定光学系の射出瞳が有限の距離に配置されるように、前記被検眼と前記走査手段との間に前記撮像部位切替手段が配置されるとともに、
前記被検眼に対して前記測定光学系が所定の作動距離に配置されるときに前記前眼部に前記測定光が合焦し且つ前記前眼部が撮像範囲に入るように、前記合焦レンズと前記光路長変更手段がそれぞれ所定の位置に配置される、光断層撮像装置。
【請求項２】
前記撮像部位切替手段は、前記被検眼に対向して配置されるアダプターレンズである、請求項１に記載の光断層撮像装置。
【請求項３】
前記アダプターレンズは前記被検眼の前記前眼部から眼底までの分散と等しい分散量を持つ、請求項２に記載の光断層撮像装置。
【請求項４】
前記測定光学系は、対物レンズをさらに含み、
前記撮像部位切替手段は、前記前眼部を撮像する際に、前記対物レンズの焦点位置に配置される、請求項１乃至３のいずれか一項に記載の光断層撮像装置。
【請求項５】
前記撮像部位切替手段は、前記前眼部を撮像する際に、前記走査手段に対して光学的に略共役な位置に配置される、請求項１乃至４のいずれか一項に記載の光断層撮像装置。
【請求項６】
光源と、
前記光源から出射された光を、測定光学系を介して被検眼に照射する測定光と参照光とに分割するとともに、前記被検眼からの前記測定光の戻り光と前記参照光とを合波して得た干渉光に基づいて、前記被検眼の断層の情報を取得する情報取得部と、
前記測定光の光路と前記参照光の光路との間の光路長差を変更する光路長変更手段と、
を備え、
前記測定光学系は、
前記測定光を前記被検眼に合焦させる合焦レンズと、
前記測定光を前記被検眼上で走査する走査手段と、
を含み、
前記被検眼の前眼部を撮像する際に、
前記測定光学系の射出瞳が有限の距離に配置されるとともに、
前記被検眼に対して前記測定光学系が所定の作動距離に配置されるときに前記前眼部に前記測定光が合焦し且つ前記前眼部が撮像範囲に入るように、前記合焦レンズと前記光路長変更手段がそれぞれ所定の位置に配置される、光断層撮像装置。
【請求項７】
前記情報取得部は、前記前眼部を撮像する際に、前記走査手段を前記所定の作動距離に対応する所定の角度範囲で駆動するように制御する、請求項１乃至６のいずれか一項に記載の光断層撮像装置。
【請求項８】
光源と、
前記光源から出射された光を、測定光学系を介して被検眼に照射する測定光と参照光とに分割するとともに、前記被検眼からの前記測定光の戻り光と前記参照光とを合波して得た干渉光に基づいて、前記被検眼の断層の情報を取得する情報取得部と、
前記測定光の光路と前記参照光の光路との間の光路長差を変更する光路長変更手段と、
を備え、
前記測定光学系は、
前記測定光を前記被検眼に合焦させる合焦レンズと、
前記測定光を前記被検眼上で走査する走査手段と、
を含み、
前記被検眼の前眼部を撮像する際に、
前記測定光学系の射出瞳が有限の距離に配置されるとともに、
前記被検眼に対して前記測定光学系が所定の作動距離に配置されるときに前記前眼部が撮像範囲に入るように、前記光路長変更手段が所定の位置に配置され、
前記情報取得部は、前記走査手段を前記所定の作動距離に対応する所定の角度範囲で駆動するように制御する、光断層撮像装置。
【請求項９】
前記所定の角度範囲は、前記所定の作動距離に基づいて、前記走査手段が前記前眼部の所定の範囲で前記測定光を走査するように定められた角度範囲である、請求項７又は８に記載の光断層撮像装置。
【請求項１０】
前記所定の作動距離は、前記所定の角度範囲に基づいて、前記走査手段が前記前眼部の所定の範囲で前記測定光を走査するように定められた作動距離である、請求項７又は８に記載の光断層撮像装置。
【請求項１１】
前記所定の角度範囲は、前記被検眼の眼底を撮像する際に前記走査手段が駆動する角度範囲である、請求項７、８、及び１０のいずれか一項に記載の光断層撮像装置。
【請求項１２】
前記情報取得部は、前記前眼部を撮像する際に、前記被検眼の移動に応じて、前記前眼部に対して前記所定の作動距離だけ離れた位置に前記測定光学系を移動させる、請求項１乃至１１のいずれか一項に記載の光断層撮像装置。
【請求項１３】
前記情報取得部は、
前記前眼部を撮像する際に、前記被検眼の移動に応じて、前記前眼部が前記撮像範囲内の所定の位置に配置されるように、前記光路長変更手段が配置される前記所定の位置から前記光路長変更手段を移動させ、
前記光路長変更手段の移動に基づいて、前記角度範囲を変化させる、請求項７乃至１１のいずれか一項に記載の光断層撮像装置。
【請求項１４】
前記情報取得部は、
前記前眼部を撮像する際に、前記被検眼の移動に応じて、前記前眼部が前記撮像範囲内の所定の位置に配置されるように、前記光路長変更手段が配置される前記所定の位置から前記光路長変更手段を移動させ、
前記断層の情報から生成された断層画像を解析する際に、前記光路長変更手段の移動に基づいて、前記断層画像における２点間の距離を補正する、請求項１乃至１１のいずれか一項に記載の光断層撮像装置。
【請求項１５】
前記光路長変更手段が配置される前記所定の位置は、前記前眼部に対して前記測定光学系が所定の作動距離に配置されるときに、前記撮像範囲内の所定の位置に前記前眼部が配置されるように定められている、請求項１乃至１４のいずれか一項に記載の光断層撮像装置。
【請求項１６】
前記光路長変更手段が配置される前記所定の位置は、
前記測定光学系から前記所定の作動距離だけ離れた位置に基準反射物体を配置し、
前記基準反射物体が前記撮像範囲の所定の位置に配置されるように、前記撮像範囲を画定する位置に設定される、請求項１５に記載の光断層撮像装置。
【請求項１７】
前記光路長変更手段が配置される前記所定の位置は、
前記被検眼の眼底を撮像する際の前記測定光及び前記参照光のうちの一方の光路長と前記前眼部を撮像する際の前記測定光及び前記参照光のうちの一方の光路長との差を求め、
前記眼底を撮像する際の前記眼底に対応する位置に基準反射物体を配置し、
前記基準反射物体が前記撮像範囲の所定の位置に配置されるように前記撮像範囲を画定する位置から、求めた前記光路長の差だけオフセットさせた位置に設定される、請求項１５に記載の光断層撮像装置。
【請求項１８】
前記合焦レンズが配置される前記所定の位置は、
前記測定光学系から前記所定の作動距離だけ離れた位置に基準反射物体を配置し、
前記断層の情報から生成された断層画像における前記基準反射物体の輝度に基づいて、前記測定光が前記基準反射物体に合焦する位置に設定される、請求項１乃至１６のいずれか一項に記載の光断層撮像装置。
【請求項１９】
前記基準反射物体は視度の異なる複数の模擬被検眼であり、
前記合焦レンズが配置される前記所定の位置は、前記複数の模擬被検眼の各々について求められた前記合焦する位置から、前記被検眼の視度に基づいて選択される、請求項１８に記載の光断層撮像装置。
【請求項２０】
前記撮像範囲にアライメント基準線を設け、
前記断層の情報から生成される前記撮像範囲の断層画像における前記アライメント基準線の位置に前記被検眼の撮像対象の部位が配置されるように、前記被検眼に対して前記測定光学系が移動される、請求項１乃至１９のいずれか一項に記載の光断層撮像装置。